(57)【要約】【課題】簡単な構成で、見栄えが良く、第１生地の窓部の周囲の質感あるいは風合いを損なうことなく、第１生地に透視性を有する第２生地を安定して固定し、透視性を有する第２生地により第１生地の窓部を閉塞してなる第１意匠が構成された布製品を提供する。【解決手段】衣服の襟１０を構成する表羽布１１および裏羽布１１に、それぞれ形成する窓部Ｗｂの形状と相似形の形状で、且つ、窓部Ｗｂよりも縫い代Ｓｂの幅だけ小さい大きさの開口部を切り抜き形成し、開口部の内縁部の縫い代Ｓｂとなる部分に複数の切り込みを形成し、各切り込みＣの先端の間を襟１０の内部となる方向にそれぞれ折り返して、窓部Ｗｂを形成する。開口部の内縁部を折り返して構成された縫い代Ｓｂと、透過性を有する第２生地１２とを糸Ｎで縫合する。【選択図】図５
2019104999.tif 000002
【特許請求の範囲】
【請求項１】
第１生地と第２生地とを備え、
前記第１生地は、開口部が切り抜き形成され、該開口部の内縁部を前記第１生地の裏面側に折り返すことにより、窓部が形成されると共に、該窓部の周囲の前記第１生地の裏面側に縫い代が形成されており、
前記第２生地は、透視性を有する素材からなり、前記第１生地の前記縫い代と重ね合わせることができる大きさに成形されており、
前記第１生地の前記縫い代と前記第２生地とを重ね合わせて縫合することにより、前記第１生地の表面側に、前記窓部を前記第２生地により閉塞されてなる第１意匠が構成されていることを特徴とする布製品。
【請求項２】
前記第１生地の前記開口部の内縁部に複数の切り込みが形成され、前記開口部の内縁部における互いに隣接する前記切り込みの間が前記第１生地の裏面側に折り返されていることを特徴とする請求項１に記載の布製品。
【請求項３】
前記第１生地を一対で重ね合わせ、前記開口部の内縁部を前記各第１生地の互いに対向する裏面側に折り返すことにより前記縫い代をそれぞれ形成し、両第１生地の縫い代の間に前記第２生地を配置して縫合することにより、前記各第１生地の表面側に、前記両第１生地の窓部を前記第２生地により閉塞されてなる第１意匠が構成されていることを特徴とする請求項１または２のいずれかに記載の布製品。
【請求項４】
第１生地と第２生地とを備え、
前記第１生地は、開口部が切り抜き形成され、該開口部の内縁部を前記第１生地の裏面側に折り返すことにより、窓部が形成されると共に、該窓部を形成する折り目部が形成されており、
前記第２生地は、透視性を有する素材からなり、前記第１生地の前記窓部よりも大きく成形され、その外縁部が前記第１生地の前記窓部と対応する形状および大きさに丸められたより部が形成されており、
前記第１生地の前記折り目部と前記第２生地のより部とを縫合することにより、前記第１生地の表面側に、前記窓部を前記第２生地により閉塞されてなる第１意匠が構成されていることを特徴とする布製品。
【請求項５】
少なくとも前記第１生地の前記窓部と対応して、前記第２生地の裏面側に第３生地が重ね合わせ配置されていることを特徴とする請求項１、２、または４のいずれか１項に記載の布製品。
【請求項６】
前記第３生地が第２意匠を有しており、該第２意匠は、前記第２生地を介して視認可能であることを特徴とする請求項５に記載の布製品。
【請求項７】
前記第２意匠が、前記第３生地の両面に現れていることを特徴とする請求項６に記載の布製品。
【請求項８】
前記第２意匠が、前記第１生地と第２生地の少なくとも一方と異なる色彩および／または柄を有していることを特徴とする請求項６または７のいずれかに記載の布製品。
【発明の詳細な説明】
【技術分野】
【０００１】
本発明は,布製品に関し、特に装飾を有する布製品に関する。
【背景技術】
【０００２】
布製品を装飾する一般的な技術として、従来から所謂切り嵌めが知られている。切り嵌めは、主となる生地の一部を切り抜いて窓部を形成し、この窓部に別の嵌め込み生地を重ね合わせて窓部の周囲と縫合することにより、窓部に別の嵌め込み生地を嵌め込むものである。
【０００３】
また、布製品に関連する従来の技術として、たとえば特許文献１が知られている。特許文献１には、表の布地の１ヶ所以上の部分に窓を開けて裏地が見えるようにした重ねの構造を持つ繊維製品が開示されている。さらに、特許文献１には、透けて見える布地５を表の布地１の窓２の裏面に固定的に取付けることを特徴とする繊維製品が開示されている（段落００２３、図６）。そして、特許文献１には、透けて見える布地５として、絽、紗、羅或いは擬紗その他のシースルータイプの薄い布地が挙げられている（段落００１１等）。
【０００４】
そして、特許文献１には、「窓２の形は生産者または消費者の好みの形に開けることができる。」、「布１の窓２を切り取ったあとの周辺の切り口部分は、切り口の糸が解（ほつ）れないようにかがっておくとよい。」と記載されている（段落００１６）。また、特許文献１には、「固定的な取付方法としては、接着剤による方法や縫い付けによる方法などがある」と記載されている（段落００１８）。さらに、特許文献１には、「図８には、異なる色や柄の２枚の布地４ａと４ｂとを背中合せに、取り付けて作った布地４を示すが、異なる色や柄の布地を背中合せに取り付ける方法の他、一枚の布地の裏表に異なる色や柄をつけて作ってもよい。」と記載されている（段落００２５）。
【先行技術文献】
【特許文献】
【０００５】
【特許文献１】特開平１０−１６８７６９号公報
【発明の概要】
【発明が解決しようとする課題】
【０００６】
上記従来の技術のうち、切り嵌めによる布製品にあっては、主となる生地の窓部の周囲と別の嵌め込み生地とを重ね合わせて縫合した糸が、主となる生地の窓部の周囲に露出して見栄えが良くなく、その結果、窓部の周囲の質感あるいは風合いを損なうという問題があった。
【０００７】
また、上記従来の技術のうち、特許文献１に開示された繊維製品にあっては、布１の窓２を切り取ったあとの周辺の切り口部分をかがっておく場合には、その切り口部分をかがる手間がかかると共に、窓２の周辺をかがった糸が目立つこととなり、布１の質感あるいは風合いが部分的に異なることになるという問題があった。また、布１の窓２を切り取ったあとの周辺の切り口部分をかがっておかない場合には、切り口の糸が解れて見栄えが良くなくなり、その結果、窓部の周囲の質感あるいは風合いを損なうという問題があった。さらに、切り口の糸が解れる結果、その切り口から布地自体が解れてていくこととなり、服やカバン・袋物などに採用し難かった。
【０００８】
また、上記特許文献１に開示された繊維製品にあっては、透けて見える布地５の固定的な取付方法として、接着剤による方法を採用した場合には、かかる接着剤が表の布地１の表面に滲み出て見栄えが悪くなり、また、接着剤により表の布地１の柔軟性が損なわれ、さらに、洗濯等によって透けて見える布地５が表の布地１から剥がれる可能性があり（剥がれた場合には上述したように布地が解れてしまう）、固定的な取付を安定して維持できないおそれがあるという問題があった。また、透けて見える布地５の固定的な取付方法として、縫い付けによる方法を採用した場合には、縫い付けの糸が表の布地１の窓２の周辺に露出して見栄えが良くなく、窓２の周辺の質感あるいは風合いを損なうという問題があった。なお、特許文献１に開示された異なる色や柄の２枚の布地４ａと４ｂとを背中合せに取り付けて作った布地４は、それぞれその時の状況に合せて表の布地１の側から布４のＡＢの一方の面だけを視認させるものであり、表の布地１の側と裏地３の裏側とのそれぞれの側から、布地４ａと４ｂを視認するものではない。
【０００９】
本発明は、上記従来の技術の問題に鑑みてなされたもので、簡単な構成で、見栄えが良く、第１生地の窓部の周囲の質感あるいは風合いを損なうことなく、第１生地に透視性を有する第２生地を安定して固定し、透視性を有する第２生地により第１生地の窓部を閉塞してなる第１意匠が構成された丈夫な布製品を提供することを目的とする。
【課題を解決するための手段】
【００１０】
請求項１の発明は、上記目的を達成するため、第１生地と第２生地とを備え、前記第１生地は、開口部が切り抜き形成され、該開口部の内縁部を前記第１生地の裏面側に折り返すことにより、窓部が形成されると共に、該窓部の周囲の前記第１生地の裏面側に縫い代が形成されており、前記第２生地は、透視性を有する素材からなり、前記第１生地の前記縫い代と重ね合わせることができる大きさに成形されており、前記第１生地の前記縫い代と前記第２生地とを重ね合わせて縫合することにより、前記第１生地の表面側に、前記窓部を前記第２生地により閉塞されてなる第１意匠が構成されていることを特徴とする。
請求項２の発明は、上記目的を達成するため、請求項１に記載の発明において、前記第１生地の前記開口部の内縁部に複数の切り込みが形成され、前記開口部の内縁部における互いに隣接する前記切り込みの間が前記第１生地の裏面側に折り返されていることを特徴とする。
請求項３の発明は、上記目的を達成するため、請求項１または２のいずれかに記載の発明において、前記第１生地を一対で重ね合わせ、前記開口部の内縁部を前記各第１生地の互いに対向する裏面側に折り返すことにより前記縫い代をそれぞれ形成し、両第１生地の縫い代の間に前記第２生地を配置して縫合することにより、前記各第１生地の表面側に、前記両第１生地の窓部を前記第２生地により閉塞されてなる第１意匠が構成されていることを特徴とする。
請求項４の発明は、上記目的を達成するため、第１生地と第２生地とを備え、前記第１生地は、開口部が切り抜き形成され、該開口部の内縁部を前記第１生地の裏面側に折り返すことにより、窓部が形成されると共に、該窓部を形成する折り目部が形成されており、前記第２生地は、透視性を有する素材からなり、前記第１生地の前記窓部よりも大きく成形され、その外縁部が前記第１生地の前記窓部と対応する形状および大きさに丸められたより部が形成されており、前記第１生地の前記折り目部と前記第２生地のより部とを縫合することにより、前記第１生地の表面側に、前記窓部を前記第２生地により閉塞されてなる第１意匠が構成されていることを特徴とする。
請求項５の発明は、上記目的を達成するため、請求項１、２、または４のいずれか１項に記載の発明において、少なくとも前記第１生地の前記窓部と対応して、前記第２生地の裏面側に第３生地が重ね合わせ配置されていることを特徴とする。
請求項６の発明は、上記目的を達成するため、請求項５に記載の発明において、前記第３生地が第２意匠を有しており、該第２意匠は、前記第２生地を介して視認可能であることを特徴とする。
請求項７の発明は、上記目的を達成するため、請求項６に記載の発明において、前記第２意匠が、前記第３生地の両面に現れていることを特徴とする。
請求項８の発明は、上記目的を達成するため、請求項６または７のいずれかに記載の発明において、前記第２意匠が、前記第１生地と第２生地の少なくとも一方と異なる色彩および／または柄を有していることを特徴とする。
【００１１】
請求項１の発明では、第１生地が、切り抜き形成された開口部の内縁部を裏面となる側に折り返して、窓部が形成され、また、窓部の周囲の裏面となる側に縫い代が形成されている。また、透視性を有する素材からなる第２生地は、第１生地の縫い代と重ね合わせることができる大きさに成形されている。そして、第１生地の縫い代と第２生地とを重ね合わせて縫合されている。これにより、布製品の第１生地の表面となる側に、透過性を有する第２生地により第１生地の窓部を閉塞されてなる第１意匠が構成されている。第２生地が第１生地の裏面となる側に形成された縫い代と縫合されているため、第２生地と第１生地とを縫合した糸が第１生地の窓部の周囲に露出しないので、見栄えを損なうことがなく、また、質感や風合いが異なることがない。そして、第１生地の縫い代と第２生地とを縫合するので、第１生地と第２生地との固定が安定して維持されることとなり、布製品として服やカバン・袋物などに使用する際に、動いたり、接触あるいは衝突がある場合であっても、これらに十分耐え得る丈夫な布製品が構成される。
請求項２の発明では、請求項１に記載の発明において、第１生地の前記開口部の内縁部に複数の切り込みを形成し、開口部の内縁部における互いに隣接する切り込みの間を第１生地の裏面側に折り返すことにより、第１意匠の形状に応じた窓部が容易に第１生地に形成される。
請求項３の発明では、請求項１または２のいずれかに記載の発明において、第１生地を一対で重ね合わせ、それぞれの開口部の内縁部を第１生地の互いに対向する裏面となる側に折り返すことにより縫い代をそれぞれ形成し、両第１生地の縫い代の間に第２生地を配置して縫合する。これにより、各第１生地の表面となる側に、透過性を有する第２生地により第１生地のそれぞれの窓部を閉塞されてなる第１意匠が構成されている。
請求項４の発明では、第１生地が、切り抜き形成された開口部の内縁部を裏面となる側に折り返して折り目部を形成する。折り目部は、窓部を形成する。また、透視性を有する素材からなる第２生地は、第１生地の窓部よりも大きく成形されており、その外縁部が第１生地の窓部と対応する形状および大きさとなるよう第２生地の裏面となる側に丸められて、より部が形成されている。そして、第１生地の折り目部と第２生地のより部とを縫合されている。これにより、布製品の第１生地の表面となる側に、透過性を有する第２生地により第１生地の窓部を閉塞されてなる第１意匠が構成されている。第２生地の外縁部を裏面となる側に丸めたより部が第１生地の窓部を形成する折り目部と縫合されているため、第２生地と第１生地とを縫合した糸が第１生地の窓部の周囲に露出しないので、見栄えを損なうことがなく、また、質感や風合いが異なることがない。そして、第１生地の縫い代と第２生地とを縫合するので、第１生地と第２生地との固定が安定して維持されることとなり、布製品として服やカバン・袋物などに使用する際に、動いたり、接触あるいは衝突がある場合であっても、これらに十分耐え得る丈夫な布製品が構成される。
請求項５の発明では、請求項１、２、または４のいずれか１項に記載の発明において、透過性を有する第２生地を介して第３生地が、第１意匠を構成する窓部の範囲で、第１生地の表面側から視認される。
請求項６の発明では、請求項５に記載の発明において、第３生地が有する第２意匠は、透過性を有する第２生地を介して、第１意匠を構成する窓部の範囲で、第１生地の表面側から視認される。
請求項７の発明では、請求項６に記載の発明において、第２意匠は、前記第３生地の両面に現れていることにより、透過性を有する第２生地を介して、第１意匠を構成する窓部の範囲で、第１生地の表面側から視認できるだけでなく、第３生地の、第１および第２生地とは反対側の面からも視認される。
請求項８の発明では、請求項６または７のいずれかに記載の発明において、第２意匠は、第１生地と第２生地の少なくとも一方と異なる色彩および／または柄を有していることにより、透過性を有する第２生地を介して、第１意匠を構成する窓部の範囲で、第１生地の表面側からより目立って確実に視認される。
【発明の効果】
【００１２】
本発明によれば、簡単な構成で、見栄えが良く、第１生地の窓部の周囲の質感あるいは風合いを損なうことなく、第１生地に透視性を有する第２生地を安定して固定して、透視性を有する第２生地により第１生地の窓部を閉塞してなる第１意匠が構成された丈夫な布製品を提供することができる。
【図面の簡単な説明】
【００１３】
【図１】本発明の第１の実施の形態を説明するために、布製品として衣服の一部を示した部分正面図である。
【図２】図１に示した衣服の襟の拡大図である。
【図３】図２に示した襟を構成するために、第１生地を切り抜き形成して開口部を形成した状態を示した、説明図である。
【図４】図３に示した開口部の内縁部に複数の切り込みを形成し、各切り込みの間を第１生地の裏面となる側に折り返して縫い代を形成し、縫い代と透視性を有する第２生地とを縫合した状態を説明するために模式的に示した、説明図である。
【図５】本発明の第１の実施の形態において、一対の第１生地を重ね合わせ、両第１生地の縫い代の間に第２生地を配置して縫合した場合を説明するために示した拡大断面図である。
【図６】本発明の第１の実施の形態において、図５に示した一方の第１生地に、さらに第３生地を重ね合わせ配置した場合を説明するために示した拡大断面図である。
【図７】本発明の第１の実施の形態において、第１生地を１枚とし、その縫い代に第２生地を縫合した場合を説明するために示した拡大断面図である。
【図８】本発明の第２の実施の形態として、第１生地の折り目部と第２生地のより部とを縫合した場合の実施の形態を説明するために示した拡大断面図である。
【図９】本発明の第３の実施の形態を説明するために、布製品として後身頃に装飾構造を有する着物を示した背面図である。
【図１０】図９の部分拡大図である。
【図１１】図９に示した着物の正面図である。
【図１２】図１１の部分拡大図である。
【図１３】９および図１０に示した窓部を構成するために、第１生地を切り抜き形成した開口部を示す説明図である。
【図１４】図１０に示した開口部の内縁部に複数の切り込みを形成し、各切り込みの間を折り返して縫い代を形成し、縫い代と透視性を有する第２生地とを縫合した状態を説明するために模式的に示した、説明図である。
【図１５】第３の実施の形態を説明するために示した拡大断面図である。
【発明を実施するための形態】
【００１４】
本発明の第１の実施の形態を、図１〜図７に基づいて詳細に説明する。
本実施の形態では、布製品がたとえば所謂ワイシャツやブラウス等の襟１０を有する衣服１であり、衣服１の襟１０に装飾構造を有する場合で説明する。なお、図１〜４には、トンボを象形する第１意匠を襟１０に形成する場合を示す。
【００１５】
衣服１の襟１０は、表羽布と裏羽布とを含んでいる。表羽布と裏羽布は、それぞれ第１生地１１、１１により構成され、窓部Ｗｂが形成される。すなわち、第１生地１１は、この実施の形態では一対で用いられて、それぞれ表羽布と裏羽布を構成する（以下の説明では、場合に応じて、第１生地と表羽布および裏羽布とに符号１１を付すこととする）。第１生地１１は、特に素材が限定されることはないが、透過性を有しない生地により構成される。
【００１６】
このような衣服１の襟１０を構成する際には、図３に示すように、最初に表羽布と裏羽布となる２枚の第１生地１１、１１に、それぞれ形成する窓部Ｗｂの形状（この実施の形態ではトンボを象形する形状）と相似形の形状で、且つ、窓部Ｗｂよりも縫い代Ｓｂの幅だけ小さい大きさの開口部Ｗａを切り抜き成形する。次いで、図４に示すように、この開口部Ｗａの内縁部Ｓａの縫い代Ｓｂとなる部分に複数の切り込みＣを形成し、各切り込みＣの先端Ｃａの間を襟１０の内部となる方向、すなわち、第１生地１１、１１の互いに対向する裏面となる側にそれぞれ折り返して、窓部Ｗｂを形成する。第１生地１１の開口部Ｗａの内縁部Ｓａは、折り返すことにより、縫い代Ｓｂを構成する。第１生地１１の窓部Ｗｂの周囲と縫い代Ｓｂとの折り目部（図３における鎖線を参照）は、アイロンを掛けたり鏝を当てることにより、折り目を付けることが望ましい。
【００１７】
一方、第２生地１２の素材は、特に限定されることはなく、たとえばオーガンディー、シフォン、ジョーゼット、チュール、レースなど、透けて見える（透過性を有する）布地により構成することができる。第２生地１２は、第１生地１１の縫い代Ｓｂと縫合できる大きさを有する。
【００１８】
そして、本実施の形態では、図４および図５に示すように、表羽布と裏羽布を構成する第１生地１１、１１のそれぞれの縫い代Ｓｂと第２生地１２とを糸Ｎで縫い合わせて固定する。なお、第２生地１２を第１生地１１、１１の縫い代Ｓｂに対して糸Ｎで縫い合わせる位置は、特に限定されることはないが、第１生地１１、１１の縫い代Ｓｂを形成するために折り返した折り目部の近くとすることができる。両第１生地１１、１１の窓部Ｗｂは、第２生地１２により閉塞される。第１生地１１の裏面となる側に折り返してなる縫い代Ｓｂと第２生地１２とを縫い合わせるので、糸Ｎが第１生地１１の表面となる側に露出することがない。そのため、第１生地１１の表面となる側の第１意匠を構成する窓部Ｗｂの周囲の見栄えが良く、第１生地の窓部の周囲の質感あるいは風合いを損なうことがない。なお、図４では、説明の便宜上、表羽布１１と裏羽布１１のいずれか一方の縫い代Ｓｂに第２生地１２を糸Ｎで縫合した状態を示しており、かかる縫い代Ｓｂ付近においては第２生地１２を示していないが、図４に示した第２生地１２は、第１生地１１の窓部Ｗｂよりも大きい一枚のものであり、また、表羽布１１と裏羽布１１のいずれか他方の縫い代Ｓｂにも縫合される。表羽布を構成する第１生地１１の縫い代Ｓｂと第２生地１２との縫合と、裏羽布を構成する第１生地１１の縫い代Ｓｂと第２生地１２との縫合とは、同時に行ってもよいが、順次行うこともできる。第１生地により構成された表羽布１１と裏羽布１１の各縫い代Ｓｂ、Ｓｂと第２生地１２とを縫合した後に、表羽布１１と裏羽布１１の周囲を縫合して襟１０を構成することができる。
【００１９】
なお、本実施の形態では、一対（２枚）の第１生地１１、１１で所謂ワイシャツやブラウス等の衣服１の襟１０の表羽布１１と裏羽布１１を構成する場合で説明したが、本発明はこれに限定されることはなく、図示は省略するが、所謂ワイシャツやブラウス等の衣服１０のカフスや、ヨーク、胸ポケット、若しくは前立て、または、１枚の第１生地１１で衣服１の身頃等を構成する場合にも適用することができる。また、衣服１は、所謂ワイシャツやブラウスに限定されることはなく、背広やコートなどの上着、あるいは、ズボンやスカートなどのボトムス、あるいはスカーフ、マフラー、ストールにも適用することができる。特に所謂ワイシャツやブラウス以外の厚手の衣服１を構成する場合には、図６に示すように一方の第１生地１１に裏地を構成する第３生地１３を重ね合わせるよう配置することもできる。また、本発明は、２枚の第１生地１１、１１を一対で用いることなく、図７に示すように、１枚の第１生地１１に窓部Ｗｂを形成して、この第１生地１１の縫い代Ｓｂと第２生地１２とを縫合して窓部Ｗｂを閉塞してなる第１意匠を構成した布製品を含むことができる。
【００２０】
次に本発明の第２の実施の形態を図８に基づいて説明する。なお、上述した第１の実施の形態と同様または相当する構成については同じ符号を付してその説明を省略し、上述した第１の実施の形態と異なる構成について説明する。
【００２１】
本実施の形態における第１生地１１は、第１の実施の形態と同様に、形成する窓部Ｗｂの形状と相似形の形状で、且つ、窓部Ｗｂよりも縫い代Ｓｂの幅だけ小さい大きさの開口部Ｗａ（図３を参照）を切り抜き成形し、この開口部Ｗａの内縁部Ｓａに複数の切り込みＣを形成し（図４を参照）、各切り込みＣの先端Ｃａの間を第１生地１１の裏面となる側に折り返して、窓部Ｗｂを形成する。図８に示すように、第１生地１１の折り返した部分には折り目部Ｗｃが形成される。折り目部Ｗｃは、窓部Ｗｂの内周縁を形成する。折り目部Ｗｃには、アイロンを掛けたり鏝を当てることにより、折り目を付けることが望ましい。
【００２２】
一方、本実施の形態における第２生地１２は、透過性を有する布地により構成されており、第１生地１１の窓部Ｗｂよりも大きく成形されている点で第１の実施の形態と同様ではあるが、外縁部を丸めてなるより部１２ｃが形成されて、第１生地１１の窓部Ｗｂと同じ形状、同じ大きさに整形されており、窓部Ｗｂに嵌め込み可能とされている。なお、第２生地１２のより部１２ｃを形成する手法は、特に限定されることはないが、従来から和裁の分野で知られているよりぐけまたは巻き縫いのように、人の指で所謂こよりを撚るようにして丸めて、筒状にすることができる。
【００２３】
そして、本実施の形態における布製品は、第１生地１１の開口部の内縁部を折り返した方向と、第２生地のより部１２ｃが丸められた方向とを一致させた状態で、窓部Ｗｂの中に第２生地１２を嵌め込み配置し、第１生地１１の折り目部Ｗｃと、第２生地のより部１２ｃとが糸Ｎにより縫い合わせることにより固定されている。なお、第１生地１１の折り目部Ｗｃと第２生地のより部１２ｃとの縫い合わせは、図８に示すように、第２生地がより部１２ｃを形成することによって少なくとも二重以上に重なった状態の部分を糸Ｎにより第１生地１１の折り目部Ｗｃと縫いつけることが好ましい。この実施の形態では、より部１２ｃが一定の幅で第２生地１２の表面となる側から、透けて見えることになる。そのため、本実施の形態における第１意匠は、より部１２ｃが第１生地の窓部Ｗｂの内枠、または、第２生地１２の外枠を有する構成とすることができる。そして、本実施の形態においても、第１生地１１の折り目部Ｗｃと第２生地１２のより部１２ｃとを縫い合わせるので、糸Ｎが第１生地１１の表面となる側に露出することがない。そのため、第１生地１１の表面となる側の第１意匠を構成する窓部Ｗｂの周囲の見栄えが良く、第１生地の窓部の周囲の質感あるいは風合いを損なうことがない。これに対して、上述したよりぐけ等により第１生地１１と第２生地１２とを縫合する場合には、第１生地１１の折り目部Ｗｃに対して第２生地を縫い付け、その後、人の指で所謂こよりを撚るようにして丸めた部分を第２生地１２自体に縫い合わせる（くける）ので、第２生地の表面に糸Ｎが露出することとなり、見栄えの良い布製品を構成することができない。
【００２４】
なお、図８には示していないが、本実施の形態の変形例として、第１生地１１と第２生地１２の裏面となる側に、図６に参照される第３生地１３を必要に応じて配置することもできる。
【００２５】
次に、本発明の第３の実施の形態を、図９〜図１５に基づいて詳細に説明する。なお、本実施の形態では、上述した第１の実施の形態と同様または相当する構成については同じ符号を付してその説明を省略し、上述した第１の実施の形態と異なる構成について説明する。
【００２６】
本実施の形態では、布製品が着物３であり、着物３の後身頃の背中部分に第１意匠および第２意匠を有する場合で説明する。なお、図９〜１５には、第１意匠を構成する窓部Ｗｂが、全体が略円形で且つ中央から左右方向一方に偏った位置で分割された形状であり、また、第３生地１３（後述する）が、図柄Ｆ１、Ｆ２により構成される第２意匠を有している。
【００２７】
本実施の形態における着物３は、窓部Ｗｂが形成され着物３の表面となる側を構成する第１生地１１と、透視性を有し窓部Ｗｂに設けられる第２生地１２と、着物３の裏面となる側を構成する第３生地１３とを含んでいる。以下の説明では、第１生地を表布１１と、第３生地を裏布１３と称する。表布１１は、特に素材が限定されることはないが、透過性を有しない生地により構成される。
【００２８】
着物３を仕立てる際には、図１３に示すように、形成する窓部Ｗｂの形状と相似形の形状で、且つ、窓部Ｗｂよりも縫い代Ｓｂの幅だけ小さい大きさの開口部Ｗａを表布１１に切り抜き成形する。次いで、図１４に示すように、この開口部Ｗａの内縁部Ｓａの縫い代Ｓｂとなる部分に複数の切り込みＣを形成し、各切り込みＣの先端Ｃａの間を表布１１の裏側となる方向に折り返して、窓部Ｗｂを形成する。第１生地１１の開口部Ｗａの内縁部Ｓａは、折り返すことにより、縫い代Ｓｂを構成する。表布１１の窓部Ｗｂの周囲と縫い代Ｓｂとの折り目部分（図１３における鎖線を参照）は、アイロンを掛けたり鏝を当てることにより、折り目を付けることが望ましい。
【００２９】
第２生地１２の素材は、特に限定されることはなく、たとえば紗や絽など、透けて見える（透過性を有する）布地により構成することができる。第２生地１２は、第１生地１１の縫い代Ｓｂと縫合できる大きさを有する。
【００３０】
そして、本実施の形態では、図１４および図１５に示すように、表布１１の縫い代Ｓｂと第２生地１２とを糸Ｎで縫い合わせて固定する。表布１１の窓部Ｗｂが第２生地１２により閉塞されて、第１意匠が構成される。
【００３１】
一方、裏布１３は、たとえば浮世絵等の図柄Ｆが友禅などによって染められており、裏布１３の裏側（表布１１側の面）の図柄Ｆａと表側（着物３の内側の面）の図柄Ｆｂが対称で表われている。第２意匠を構成する図柄Ｆは、少なくとも裏布１３の、表布１１に形成された窓部Ｗｂと対応する大きさおよび位置に描かれている。なお、裏布１３は、表布１１の窓部Ｗｂを覆うことができる大きさを有していればよいが、図９（破線を参照）と、図１０とに示した実施の形態では、着物３の胴裏を構成している。なお、裏布１３が有する第２意匠は、図柄Ｆに限定されることはなく、表布１１と第２生地１２の少なくとも一方と異なる色彩、表布１１の図柄と同じ図柄であって異なる色彩、または表布１１と実質的に同じ色彩ではあるが表布１１の図柄と異なる図柄により構成することもできる。
【００３２】
このように構成された着物３は、図９および図１０に示したように、裏布１３に描かれた図柄Ｆａを、表布１１に形成された第１意匠を構成する窓部Ｗｂの形状で、第２生地１２を介して薄く視認することができる。そして、表布１１および第２生地１２と裏布１３とが窓部Ｗｂの周囲で縫い合わされていないので、着物３を着用したときにその着用者の動きに応じて窓部Ｗｂと裏布１３の図柄Ｆａが重なったり離れたりして、窓部Ｗｂの形状の第２生地１２を介して裏布１３の図柄Ｆａが変化して見える。また、表布１１および第２生地１２とは異なる色彩を有する無地の裏布１３を採用した場合には、着物３を着用したときにその着用者の動きに応じて窓部Ｗｂと裏布１３が重なったり離れたりして、第２生地１２を介して裏布１３の色彩の濃さが変化して見える。
【００３３】
また、着物３の裏布１３の表側の面にも図柄Ｆｂが現れているため、図１１に示すように、着物３を衣桁や衣文掛け（図示は省略する）に掛けた際に、窓部Ｗｂから第２生地１２を介して見える図柄Ｆａだけでなく、着物３の内側の図側Ｆｂも見えるように演出することができ、したがって見栄えを良くすることができる。しかしながら、本発明は、着物３の裏布１３の表側の面にも図柄Ｆｂを有する場合に限定されることはなく、裏布１３の裏側、すなわち表布１１および第２生地１２と対向する側の面のみに図柄Ｆａを有する場合を含むことができる。
【００３４】
なお、本実施の形態では、第１の実施の形態と同様に、表布１１に切り抜き成形した開口部Ｗａの内縁部Ｓａを折り返して窓部Ｗｂを形成するとともに縫い代Ｓｂを構成し、この表布１１の縫い代Ｓｂと第２生地１２とを糸Ｎで縫い合わせる場合で説明したが、図８に基づいて説明した第２の実施の形態と同様に、表布１１に切り抜き成形した開口部Ｗａの内縁部Ｓａを折り返して窓部Ｗｂを形成するとともに折り目部Ｗｃを形成し、また、第２生地１２の外周縁を丸めてより部１２ｃを形成し、この表布１１の折り目部Ｗｃと第２生地１２のより部１２ｃとを糸Ｎで縫い合わせることもできる。
【００３５】
また、本実施の形態では、着物３の後身頃に装飾構造を構成する場合で説明したが、本発明はこれに限定されることはなく、図示は省略するが、着物３の前身頃、衽、衿、袖、あるいは、帯等に構成することもできる。また、第３生地１３が着物３の胴裏を構成することなく、表布１１の窓部Ｗｂを覆うことができる程度の大きさを有するものである場合、または、第３生地１３自体を有することなく、表布１１の第１意匠を構成する窓部Ｗｂに第２生地１２を設ける場合、着物３は、単（ひとえ）物となる。
【００３６】
さらに、本発明は、上述した実施の形態に限定されることはなく、布製品として、衣服の場合には上述した以外に、羽織、袢纏、着物等の和装用コート、甚平、作務衣、また、衣服以外の場合には、袋物やカバン、壁飾りあるいは置物などにも適用することができる。
【符号の説明】
【００３７】
１：衣服、  ３：着物、  １０：襟、  １１：第１生地、  １２：透過性生地（第２生地）、  １２ｃ：より部、  １３：裏布（第３生地）、  Ｗａ：開口部、  Ｗｂ：窓部、  Ｗｃ：折り目部、  Ｃ：切り込み、  Ｃａ：先端部、  Ｓａ：内縁部、  Ｓｂ：縫い代、  Ｎ：糸、  Ｆ：図柄（第２意匠）
【図１】
2019104999.tif 000003
【図２】
2019104999.tif 000004
【図３】
2019104999.tif 000005
【図４】
2019104999.tif 000006
【図５】
2019104999.tif 000007
【図６】
2019104999.tif 000008
【図７】
2019104999.tif 000009
【図８】
2019104999.tif 000010
【図９】
2019104999.tif 000011
【図１０】
2019104999.tif 000012
【図１１】
2019104999.tif 000013
【図１２】
2019104999.tif 000014
【図１３】
2019104999.tif 000015
【図１４】
2019104999.tif 000016
【図１５】
2019104999.tif 000017